(57)【要約】【課題】高速記録対応の光ディスクに低速記録する場合の記録信号品位の向上を図る。【解決手段】高速記録対応の光ディスクに高速で記録する場合であって、ピットの直前のランド長が同じときは、相対的に長いピットを形成する場合は、相対的に短いピットを形成する場合に比べて記録パワーのレーザ光の照射開始タイミングを相対的に遅らせる。該光ディスクに低速で記録する場合であって、ピットの直前のランド長が同じときは、相対的に長いピットを形成する場合は、相対的に短いピットを形成する場合に比べて記録パワーのレーザ光の照射開始タイミングを相対的に早める。【選択図】  図１
2004213848.tif 000002
【特許請求の範囲】
【請求項１】
記録可能型光ディスクの記録面に記録信号で変調された記録用レーザ光を照射してマーク長記録方式でピットおよびランドを交互に形成して情報の記録を行う際に、記録速度倍率および形成すべきピット長に応じて記録パワーのレーザ光の照射開始タイミングを補正する方法であって、
光ディスクに所定記録速度倍率以上の速度で記録する場合であって、ピットの直前のランド長が同じときは、相対的に長いピットを形成する場合は、相対的に短いピットを形成する場合と比べて前記記録パワーのレーザ光の照射開始タイミングを相対的に遅らせ、
該光ディスクに前記所定記録速度倍率よりも低速で記録する場合であって、ピットの直前のランド長が同じときは、相対的に長いピットを形成する場合は、相対的に短いピットを形成する場合と比べて前記記録パワーのレーザ光の照射開始タイミングを相対的に早める光ディスク記録におけるレーザ光照射タイミング補正方法。
【請求項２】
記録可能型光ディスクの記録面に記録信号で変調された記録用レーザ光を照射してマーク長記録方式でピットおよびランドを交互に形成して情報の記録を行う際に、記録速度倍率および形成すべきピット長に応じて記録パワーのレーザ光の照射開始タイミングを補正する方法であって、
光ディスクに所定記録速度倍率以上の速度で記録する場合であって、ピットの直前のランド長が同じときは、相対的に長いピットを形成する場合ほど、相対的に短いピットを形成する場合と比べて前記記録パワーのレーザ光の照射開始タイミングを相対的に遅らせ、
該光ディスクに前記所定記録速度倍率よりも低速で記録する場合であって、ピットの直前のランド長が同じときは、相対的に長いピットを形成する場合ほど、相対的に短いピットを形成する場合と比べて前記記録パワーのレーザ光の照射開始タイミングを相対的に早める光ディスク記録におけるレーザ光照射タイミング補正方法。
【請求項３】
前記光ディスクが３２倍速以上の高速記録対応の光ディスクである請求項１または２記載の光ディスク記録におけるレーザ光照射タイミング補正方法。
【請求項４】
前記所定記録速度倍率以上の速度で記録する場合が２倍速以上で記録する場合であり、前記所定記録速度倍率よりも低速で記録する場合が１倍速で記録する場合である請求項１から３のいずれかに記載の光ディスク記録におけるレーザ光照射タイミング補正方法。
【請求項５】
前記所定記録速度倍率以上の速度で記録する場合が４倍速以上で記録する場合であり、前記所定記録速度倍率よりも低速で記録する場合が１倍速で記録する場合および２倍速で記録する場合である請求項１から３のいずれかに記載の光ディスク記録におけるレーザ光照射タイミング補正方法。
【請求項６】
前記所定記録速度倍率以上の速度で記録する場合の前記形成すべきピット長に応じた照射開始タイミングの補正量を、４Ｔピットを形成する場合は０とし、４Ｔよりも短いピットを形成する場合は０または負の値とし、４Ｔよりも長いピットを形成する場合は０または正の値とし、
前記所定記録速度倍率よりも低速で記録する場合の前記形成すべきピット長に応じた照射開始タイミングの補正量を、４Ｔピットを形成する場合は０とし、４Ｔよりも短いピットを形成する場合は０または正の値とし、４Ｔよりも長いピットを形成する場合は０または負の値とする請求項１から５のいずれかに記載の光ディスク記録におけるレーザ光照射タイミング補正方法。
【請求項７】
前記光ディスクがＣＤ−Ｒディスクであり、
前記所定記録速度倍率以上の速度で記録する場合の前記形成すべきピット長に応じた照射開始タイミングの補正量を、３Ｔピットを形成する場合は１Ｔの０〜−１２％分の時間とし、５Ｔ〜１１Ｔのピットを形成する場合は１Ｔの０〜６％分の時間とし、
前記所定記録速度倍率よりも低速で記録する場合の前記形成すべきピット長に応じた照射開始タイミングの補正量を、３Ｔピットを形成する場合は１Ｔの０〜１２％分の時間とし、５Ｔ〜１１Ｔのピットを形成する場合は１Ｔの０〜−１２％分の時間とする請求項６記載の光ディスク記録におけるレーザ光照射タイミング補正方法。
【請求項８】
記録可能型光ディスクの記録面に記録信号で変調された記録用レーザ光を照射して、マーク長記録方式でピットおよびランドを交互に形成して該記録信号の記録を行う光ディスク記録装置において、
形成すべきピット長およびその直前のランド長の組み合わせに応じた、記録パワーのレーザ光の照射開始タイミングの補正量を記憶する記憶手段と、
入力される記録信号のピット長とその直前のランド長の組み合わせを検出し、前記記憶手段から該組み合わせに応じた照射開始タイミングの補正量を読み出し、前記記録パワーのレーザ光の照射開始タイミングを、補正なしのタイミングである基準タイミングに対し該読み出された補正量分補正する制御手段とを具備してなり、
前記記録パワーのレーザ光の照射開始タイミングの補正量が、光ディスクに所定記録速度倍率以上の速度で記録する場合であって、ピットの直前のランド長が同じときは、相対的に長いピットを形成する場合は、相対的に短いピットを形成する場合と比べて前記記録パワーのレーザ光の照射開始タイミングを相対的に遅らせ、該光ディスクに前記所定記録速度倍率よりも低速で記録する場合であって、ピットの直前のランド長が同じときは、相対的に長いピットを形成する場合は、相対的に短いピットを形成する場合と比べて前記記録パワーのレーザ光の照射開始タイミングを相対的に早める値に設定されている光ディスク記録装置。
【発明の詳細な説明】
【０００１】
【発明の属する技術分野】
この発明は、記録可能型光ディスクの記録面に記録信号で変調された記録用レーザ光を照射してマーク長記録方式でピットおよびランドを交互に形成して情報の記録を行う際に、形成すべきピット長に応じて記録パワーのレーザ光の照射開始タイミングを補正する方法および光ディスク記録方法に関し、記録信号品位（ジッタ、エラーレート等）の向上を図ったものである。
【０００２】
【従来の技術】
書込可能型光ディスクの記録方式の１つとして、ＣＤ−ＷＯ（ＣＤ  Ｗｒｉｔｅ  Ｏｎｃｅ）規格がある。ＣＤ−ＷＯ規格（通称オレンジブック規格）では、情報は３Ｔ〜１１Ｔ（１Ｔは１倍速時は１／４．３２１８ＭＨｚ≒２３１ｎｓ、２倍速時は１倍速時の１／２、４倍速時は１倍速時の１／４、６倍速時は１倍速時の１／６、……）のピットおよびランド（相互に隣接するピットとピットの間の部分）の組合せで光ディスクに記録される。ＣＤ−ＷＯディスク（通称ＣＤ−Ｒ）の記録用レーザ光のビームパワーは図２に示すように、ピットを形成する区間でピット形成が可能な記録パワー（トップパワー等と称される。）に設定され、ランドを形成する区間で再生可能でピット形成が不能な再生パワー（ボトムパワー等と称される。）に設定される。
【０００３】
このような記録方法においては、形成しようとするピットの長さ分記録パワーを持続してピットを形成すると、レーザ光の余熱により、実際には１Ｔ程度長くピットが形成されてしまう。そこで、いわゆる（ｎ−Ｋ）Ｔ＋α（ｎＴ）ストラテジー（ｓｔｒａｔｅｇｙ）と称して、記録パワーの持続時間を、形成しようとするピット長ｎＴよりも約ＫＴ分短縮してピット形成を行うようにしている。なお、Ｋは定数、α（ｎＴ）はピット長ｎＴに応じた補正量｛該ピットの形成を終了させるための記録パワーの終了タイミングに付加する（記録パワーの終了を遅らせる）補正量｝で、α（３Ｔ）≧α（４Ｔ）≧α（５Ｔ）≧……≧α（１１Ｔ）｛ただし、α（３Ｔ）＞α（１１Ｔ）｝である。
【０００４】
また別の記録ストラテジーとして、記録パワーの持続時間を、形成するピット長ｎＴおよびその直前のランド長ｍＴに応じて、（ｎ−Ｋ）Ｔ＋α（ｎＴ）−β（ｍＴ）とするものも提案されている。なお、Ｋは定数、α（ｎＴ）はピット長ｎＴに応じた補正量｛該ピットの形成を終了させるための記録パワーの終了タイミングに付加する（記録パワーの終了を遅らせる）補正量｝で、少なくともα（３Ｔ）≧α（４Ｔ）≧α（５Ｔ）≧……≧α（８Ｔ）｛ただし、α（３Ｔ）＞α（８Ｔ）｝、β（ｍＴ）は直前のランド長ｍＴに応じた補正量｛次のピットの形成を開始させるための記録パワーの開始タイミングに付加する（記録パワーの開始を遅らせる）補正量｝で、少くともβ（３Ｔ）≧β（４Ｔ）≧β（５Ｔ）≧……≧β（８Ｔ）｛ただし、β（３Ｔ）＞β（８Ｔ）｝である。
【０００５】
これら記録ストラテジー（ｎ−Ｋ）Ｔ＋α（ｎＴ）や（ｎ−Ｋ）Ｔ＋α（ｎＴ）−β（ｍＴ）の補正量α（ｎＴ），β（ｍＴ）は、先に記録を行った箇所からの熱の流入の大小によるピット前端位置（＝ランド終端位置）やピット終端位置（＝ランド前端位置）の誤差を打ち消して、記録信号品位（ジッタ等）を改善するものである。ところが、これら補正量α（ｎＴ），β（ｍＴ）の調整だけでは、記録信号品位（ジッタ等）の改善には限界があった。特に、高密度記録のようにピットおよびランドが短くなるにつれて記録信号品位が悪化していた。これは、ピット前端位置が、該ピット前端位置よりも先に記録を行った箇所（記録進行方向後方）からの熱だけでなく、該ピット前端位置よりも後から記録を行った箇所（記録進行方向前方）からの熱による影響を受けるためであった。
【０００６】
そこで、このような問題点を解決して、記録信号品位の向上を図った光ディスク記録方法として、本出願人の出願に係る特許文献１記載の技術があった。この技術は、形成すべきピット長に応じて該ピットの形成を開始するための記録パワーのレーザ光の照射開始タイミングを補正するものであって、該ピットの直前のランド長が同じときは長いピットを形成する場合は、より短いピットを形成する場合に比べて該照射開始タイミングを相対的に遅らせるようにしたものである。
これによれば、長いピットを形成する場合は熱の蓄積が大きくなって該ピットの前端部が記録進行方向と逆方向に伸びる傾向があるので、該ピットの前端部を形成するための照射開始タイミングを、より短いピットを形成する場合に比べて相対的に遅らせることにより、この傾向を打ち消して、ピット前端位置を規定位置に正しく形成することができ、ジッタやデビエーション（ｄｅｖｉａｔｉｏｎ）を減少して記録信号品位を向上させることができる。
【特許文献１】
特開２０００−３０２５５号公報（図４）
【０００７】
【発明が解決しようとする課題】
その後の発明者の実験によれば、高速記録対応（例えば３２倍速以上対応）のＣＤ−Ｒディスクを用いて、特開２０００−３０２５５号公報に記載の記録ストラテジーで低速記録（例えば１倍速記録）したところ、記録信号品位をかえって悪化させることがわかった。図３，図４はその様子を示すもので、某ディスク製造メーカーの高速記録対応ＣＤ−Ｒディスクについて２４倍速記録した場合（図３）と１倍速記録した場合（図４）の再生ＥＦＭ信号波形を示したものである。
これによれば、長ピットによる波形が、２４倍速記録した場合は正常であるが、１倍速記録した場合は歪んでいることがわかる。
この発明は、上述の点に鑑みてなされたもので、高速記録対応の光ディスクに低速記録する場合の記録信号品位の向上を図った光ディスク記録におけるレーザ光照射タイミング補正方法および光ディスク記録装置を提供しようとするものである。
【０００８】
【課題を解決するための手段】
この発明の光ディスク記録におけるレーザ光照射タイミング補正方法は、記録可能型光ディスクの記録面に記録信号で変調された記録用レーザ光を照射してマーク長記録方式でピットおよびランドを交互に形成して情報の記録を行う際に、形成すべきピット長に応じて記録パワーのレーザ光の照射開始タイミングを補正する方法であって、光ディスクに所定記録速度倍率以上の速度で記録する場合であって、ピットの直前のランド長が同じときは、相対的に長いピットを形成する場合は、相対的に短いピットを形成する場合に比べて前記記録パワーのレーザ光の照射開始タイミングを相対的に遅らせ、該光ディスクに前記所定記録速度倍率よりも低速で記録する場合であって、ピットの直前のランド長が同じときは、相対的に長いピットを形成する場合は、相対的に短いピットを形成する場合に比べて前記記録パワーのレーザ光の照射開始タイミングを相対的に早めるものである。これによれば、高速記録対応光ディスクに低速記録する場合の記録信号品位の低下を防止することができる。
【０００９】
この発明の光ディスク記録におけるレーザ光照射タイミング補正方法は、記録可能型光ディスクの記録面に記録信号で変調された記録用レーザ光を照射してマーク長記録方式でピットおよびランドを交互に形成して情報の記録を行う際に、形成すべきピット長に応じて記録パワーのレーザ光の照射開始タイミングを補正する方法であって、光ディスクに所定記録速度倍率以上の速度で記録する場合であって、ピットの直前のランド長が同じときは、相対的に長いピットを形成する場合ほど、相対的に短いピットを形成する場合に比べて前記記録パワーのレーザ光の照射開始タイミングを相対的に遅らせ、該光ディスクに前記所定記録速度倍率よりも低速で記録する場合であって、ピットの直前のランド長が同じときは、相対的に長いピットを形成する場合ほど、相対的に短いピットを形成する場合に比べて前記記録パワーのレーザ光の照射開始タイミングを相対的に早めるものである。これによれば、高速記録対応光ディスクに低速記録する場合の記録信号品位の低下を防止することができる。
【００１０】
この発明のレーザ光照射タイミング補正方法は、例えば、前記光ディスクが３２倍速以上の高速記録対応の光ディスクである場合に好適に適用することができる。また、例えば、前記所定記録速度倍率以上の速度で記録する場合を２倍速以上で記録する場合とし、前記所定記録速度倍率よりも低速で記録する場合を１倍速で記録する場合とすることができる。あるいは、前記所定記録速度倍率以上の速度で記録する場合を４倍速以上で記録する場合とし、前記所定記録速度倍率よりも低速で記録する場合を１倍速で記録する場合および２倍速で記録する場合とすることもできる。
【００１１】
この発明のレーザ光照射タイミング補正方法は、例えば、前記所定記録速度倍率以上の速度で記録する場合の前記形成すべきピット長に応じた照射開始タイミングの補正量を、４Ｔピットを形成する場合は０とし、４Ｔよりも短いピットを形成する場合は０または負の値とし、４Ｔよりも長いピットを形成する場合は０または正の値とし、前記所定記録速度倍率よりも低速で記録する場合の前記形成すべきピット長に応じた照射開始タイミングの補正量を、４Ｔピットを形成する場合は０とし、４Ｔよりも短いピットを形成する場合は０または正の値とし、４Ｔよりも長いピットを形成する場合は０または負の値とすることができる。特に、前記光ディスクがＣＤ−Ｒディスクである場合には、例えば、前記所定記録速度倍率以上の速度で記録する場合の前記形成すべきピット長に応じた照射開始タイミングの補正量を、３Ｔピットを形成する場合は１Ｔの０〜−１２％分の時間とし、５Ｔ〜１１Ｔのピットを形成する場合は１Ｔの０〜６％分の時間とし、前記所定記録速度倍率よりも低速で記録する場合の前記形成すべきピット長に応じた照射開始タイミングの補正量を、３Ｔピットを形成する場合は１Ｔの０〜１２％分の時間とし、５Ｔ〜１１Ｔのピットを形成する場合は１Ｔの０〜−１２％分の時間とすることができる。
【００１２】
この発明の光ディスク記録装置は、記録可能型光ディスクの記録面に記録信号で変調された記録用レーザ光を照射して、マーク長記録方式でピットおよびランドを交互に形成して該記録信号の記録を行う光ディスク記録装置において、形成すべきピット長およびその直前のランド長の組み合わせに応じた、記録パワーのレーザ光の照射開始タイミングの補正量を記憶する記憶手段と、入力される記録信号のピット長とその直前のランド長の組み合わせを検出し、前記記憶手段から該組み合わせに応じた照射開始タイミングの補正量を読み出し、前記記録パワーのレーザ光の照射開始タイミングを、補正なしのタイミングである基準タイミングに対し該読み出された補正量分補正する制御手段とを具備してなり、前記記録パワーのレーザ光の照射開始タイミングの補正量が、光ディスクに所定記録速度倍率以上の速度で記録する場合であって、ピットの直前のランド長が同じときは、相対的に長いピットを形成する場合は、相対的に短いピットを形成する場合に比べて前記記録パワーのレーザ光の照射開始タイミングを相対的に遅らせ、該光ディスクに前記所定記録速度倍率よりも低速で記録する場合であって、ピットの直前のランド長が同じときは、相対的に長いピットを形成する場合は、相対的に短いピットを形成する場合に比べて前記記録パワーのレーザ光の照射開始タイミングを相対的に早める値に設定されている。ものである。これによれば、高速記録対応光ディスクに低速記録する場合の記録信号品位の低下を防止することができる。
【００１３】
【発明の実施の形態】
この発明の実施の形態を以下説明する。図５はこの発明が適用された光ディスク記録再生装置（ＣＤ−Ｒディスク記録再生装置）のシステム構成を示すものである。この光ディスク記録装置１は単体のＣＤ−Ｒ記録再生装置として、あるいは、ＣＤ−Ｒドライブとパソコンとを組み合わせた装置として構成することができる。入力装置２８ではユーザの操作等により記録速度倍率が設定入力される。
ディスクサーボ回路１６は、システムコントローラ１９からの指令により、スピンドルモータ１２を、設定された記録速度倍率で線速度一定（１倍速時は１．２ｍ／ｓ〜１．４ｍ／ｓ、２倍速時は１倍速時の２倍、４倍速時は１倍速時の４倍、……）で回転制御する。この線速度一定制御は、ＣＤ−ＷＯ規格の場合プリグループのウォブル（Ｗｏｂｂｌｅ）が２２．０５ｋＨｚ  になるように規定されているので、光ヘッド１３の出力信号からウォブルを検出して（トラッキングエラー信号の残留分から検出できる。）、これが所定の周波数（１倍速時は２２．０５ｋＨｚ  、２倍速時は４４．１ｋＨｚ  、４倍速時は８８．２ｋＨｚ  、……）で検出されるようにスピンドルモータ１２をＰＬＬ制御することで実現される。
【００１４】
フォーカスサーボおよびトラッキングサーボ回路１８は、システムコントローラ１９からの指令により、光ヘッド１３内の半導体レーザから出射されるレーザ光１１のフォーカスおよびトラッキングを制御する。トラッキング制御はディスク１０に形成されたプリグルーブを検出することにより行なわれる。フィードサーボ回路１７はシステムコントローラ１９からの指令により、フィードモータ２０を駆動して光ヘッド１３を光ディスク１０の径方向に移動させる。
【００１５】
光ディスク（ＣＤ−Ｒディスク）１０に記録すべき入力信号は、記録速度倍率に応じた速度でディジタル信号の場合は直接記録信号形成回路２２に入力され、アナログ信号の場合はＡ／Ｄ変換器２４を経て記録信号形成回路２２に入力される。記録信号形成回路２２は、入力データにインタリーブをかけて、エラーチェックコードを付与し、またＴＯＣおよびサブコード生成回路２３で生成されるＴＯＣ情報およびサブコード情報を付与し、ＥＦＭ変調してＣＤ規格のフォーマットおよび記録速度倍率に応じた転送レートで一連のシリアルデータを形成し、記録信号として出力する。
【００１６】
この記録信号は、ドライブインターフェイス１５を介して記録信号補正回路２６で使用ディスク種類（どのディスク製造メーカーのどの型番のディスクであるか）および記録速度倍率（または、ディスク種類、記録速度倍率および線速度）等に応じて選択された記録ストラテジーによる変調を受けてレーザ発生回路２５に入力される。レーザ発生回路２５は記録信号に応じて光ヘッド１３内の半導体レーザを駆動してレーザ光１１を光ディスク１０の記録面に照射し、ピットを形成して記録を行なう。この時のレーザパワーは記録速度倍率（または、記録速度倍率および線速度）に応じた値に指令され、ＡＬＰＣ（Ａｕｔｏｍａｔｉｃ  Ｌａｓｅｒ  Ｐｏｗｅｒ  Ｃｏｎｔｒｏｌ  ）回路でこの指令されたパワーに高精度に制御される。これにより、光ディスク１０にはＣＤ−ＷＯ規格のフォーマット、転送速度および線速度（１．２〜１．４ｍ／ｓ）でデータが記録される。
【００１７】
以上のようにして記録した光ディスク１０に再生用レーザ光（記録パワーのレーザ光より小パワー）を照射して再生すると、読出データは信号再生処理回路３０で復調され、そのままディジタル信号として、またＤ／Ａ変換器３１でアナログ信号に変換されて出力される。
【００１８】
図５のシステムコントローラ１９による記録制御の制御ブロックを図１に示す。記録速度倍率設定手段２８は図５の入力装置２８に相当し、操作者の操作により記録速度倍率（×１，×２，×４，…，×３２，…）を設定する。ディスク種類および線速度判別手段３２は、装置にセットされている光ディスク１０のディスク種類および線速度を判別するものである。ディスク種類は、例えばリードイン領域のウォブルに記録されているＡＴＩＰ信号を利用して判別することができる。すなわち、ＣＤ−Ｒディスクではリードイン開始時間ＳＴＬＩ（Ｓｔａｒｔ  ｔｉｍｅｏｆ  ｌｅａｄ−ｉｎ）として採り得る値が、所定時間の範囲内でメーカーごとに１０個のフレーム値で割り当てられ、各メーカーは該割り当てられた１０フレームの数値をディスク型番ごとに割り当てて（末尾の数値０〜４をシアニン系ディスクに割り当て、同５〜９をフタロシアニン系ディスクに割り当てる。）、リードイン部にＡＴＩＰ信号として記録している。そこで、このリードイン部にＡＴＩＰ信号として記録されているリードイン開始時間ＳＴＬＩをディスク識別情報として参照することにより、ディスク種類（どのディスク製造メーカーのどの型番のディスクであるか）を判別することができる。また、線速度は例えば光ディスク１０のリードイン部のＡＴＩＰ信号に記録されている録音時間（６３分タイプ、７４分タイプその他それらの中間のタイプ）を読み取って、その情報から該当する線速度を判別（６３分タイプは１．４ｍ／ｓ、７４分タイプは１．２ｍ／ｓ）したり、スピンドルモータのエンコーダ出力から算出することができる。
【００１９】
記録ストラテジー記憶手段３４は、ディスク種類および記録速度倍率の組合せ（または、ディスク種類、記録速度倍率および線速度の組合せ）に応じて、最適な記録ストラテジー（時間変調量、記録パワー等）を記憶している。記録ストラテジー選択手段３６は、入力されるディスク種類および記録速度倍率の情報に応じて（または、ディスク識別情報が同じで線速度が異なる複数のディスクが存在する場合で、線速度ごとに別々の記録ストラテジーが用意されているような場合には、ディスク種類、記録速度倍率および線速度の組合せに応じて）、該当する記録ストラテジーを記録ストラテジー記憶手段３４から読み出す。制御手段３８は読み出された記録ストラテジーに応じて記録信号補正回路２６を制御して記録信号のピット形成部分やランド形成部分の長さに変調を加える。また、レーザ発生回路２５を制御して、レーザパワーを制御する。また、ディスクサーボ回路１６を制御して、指令された記録速度倍率に相当する速度にスピンドルモータ１２を回転制御する。
【００２０】
図１の制御ブロック構成による記録ストラテジー設定制御の一例を図６に示す。光ディスク１０が挿入されると（Ｓ１）、リードイン領域のウォブルに記録されているＡＴＩＰ信号からリードイン開始時間ＳＴＬＩ、最大リードアウト開始可能時間ＬＬＯ（Ｌａｓｔ  ｐｏｓｓｉｂｌｅ  ｔｉｍｅ  ｏｆ  ｌｅａｄ−ｏｕｔ）等の情報を取得する（Ｓ２）。記録ストラテジー選択手段３６は該取得したリードイン開始時間ＳＴＬＩをディスク種類の識別情報として用いて、記録ストラテジー記憶手段３４に該当するコードが存在するかどうかを判断する（Ｓ３）。該当するコードが存在する場合は、そのコードに該当する記録ストラテジーを記録ストラテジー記憶手段３４から読み出して制御手段３８に設定する（Ｓ４）。該当するコードが存在しない場合は、取得したリードイン開始時間ＳＴＬＩの末尾が０〜４か、５〜９かを判断する（Ｓ５）。判断結果が０〜４の場合は、シアニン系ディスク用の標準的な記録ストラテジーとして用意されているシアニン系ディスク用デフォルトストラテジーを記録ストラテジー記憶手段３４から読み出して制御手段３８に設定する（Ｓ６）。判断結果が５〜９の場合は、フタロシアニン系ディスク用の標準的な記録ストラテジーとして用意されているフタロシアニン系ディスク用デフォルトストラテジーを記録ストラテジー記憶手段３４から読み出して制御手段３８に設定する（Ｓ７）。
【００２１】
図１の制御手段３８による記録用レーザ光の照射時間制御の具体的内容について説明する。
〔１〕  次ピット長による記録パワーのレーザ光の照射開始タイミングの補正
ｉ）  ３２倍速以上の高速記録対応ディスクについて２倍速以上（ディスク種類によっては４倍速以上）で記録する場合、または、３２倍速以上の高速記録に対応しない高速記録非対応ディスクについて記録する場合
長いピットを形成する場合ほど熱の蓄積が大きくなってピット前端が記録進行方向と逆方向に伸びる傾向があるので、より短いピットを形成する場合に比べて、該ピットの前端部を形成するための記録パワーのレーザ光の照射開始タイミングを相対的に遅らせる。図７は当ランド（現在形成しているランド）の長さｍＴを一定とした場合の、次ピット（次に形成しようとするピット）の長さｎＴによる照射開始タイミングの、基準タイミング（補正なしの場合のタイミング）からの補正量γ（ｍ，ｎ）｛補正量γ（ｍ，ｎ）は、基準のタイミングに対し遅らせる方向を＋、早める方向を−とする。｝の変化を示したものである。各波形の振幅はレーザパワー示し、Ｐｔは記録可能な記録パワー（トップパワー）、Ｐｂは再生可能で記録不能な再生パワー（ボトムパワー）を示す。補正量γ（ｍ，ｎ）は式（１）〜（４）の条件を満たすように設定されている。なお、補正量の数値（％）は、１Ｔの長さに対する割合である。
【００２２】
・次ピット長が３Ｔの場合：０％≧γ（３，３）≧γ（４，３）≧……≧γ（１１，３）≧−１２％｛ただし、γ（３，３）＞γ（１１，３）｝  …（１）
・次ピット長が４Ｔの場合：γ（３，４）＝γ（４，４）＝……＝γ（１１，４）＝０％  …（２）
・次ピット長が５〜１１Ｔの場合：６％≧γ（３，ｎ）≧γ（４，ｎ）≧……≧γ（１１，ｎ）≧０％｛ただし、γ（３，ｎ）＞γ（１１，ｎ）｝  …（３）
・当ランド長ｍＴが同じ場合：−１２％≦γ（ｍ，３）≦γ（ｍ，４）＝０％≦γ（ｍ，５）≦γ（ｍ，６）≦……≦γ（ｍ，１１）≦６％｛ただし、γ（ｍ，３）＜γ（ｍ，１１）｝  …（４）
【００２３】
ｉｉ）  ３２倍速以上の高速記録対応ディスクについて１倍速（または１倍速もしくは２倍速）で記録する場合
長いピットを形成する場合は、より短いピットを形成する場合に比べて、該ピットの前端部を形成するための記録パワーのレーザ光の照射開始タイミングを相対的に早める。図８は当ランド（現在形成しているランド）の長さｍＴを一定とした場合の、次ピット（次に形成しようとするピット）の長さｎＴによる照射開始タイミングの、基準タイミング（補正なしの場合のタイミング）からの補正量γ（ｍ，ｎ）｛補正量γ（ｍ，ｎ）は、基準のタイミングに対し遅らせる方向を＋、早める方向を−とする。の変化を示したものである。各波形の振幅はレーザパワー示し、Ｐｔは記録可能な記録パワー（トップパワー）、Ｐｂは再生可能で記録不能な再生パワー（ボトムパワー）を示す。補正量γ（ｍ，ｎ）は式（５）〜（８）の条件を満たすように設定されている。なお、補正量の数値（％）は、１Ｔの長さに対する割合である。
【００２４】
・次ピット長が３Ｔの場合：１２％≧γ（３，３）≧γ（４，３）≧……≧γ（１１，３）≧０％｛ただし、γ（３，３）＞γ（１１，３）｝  …（５）
・次ピット長が４Ｔの場合：γ（３，４）＝γ（４，４）＝……＝γ（１１，４）＝０％  …（６）
・次ピット長が５〜１１Ｔの場合：０％≧γ（３，ｎ）≧γ（４，ｎ）≧……≧γ（１１，ｎ）≧−１２％｛ただし、γ（３，ｎ）＞γ（１１，ｎ）｝  …（７）
・当ランド長ｍＴが同じ場合：１２％≧γ（ｍ，３）≧γ（ｍ，４）＝０％≧γ（ｍ，５）≧γ（ｍ，６）≧……≧γ（ｍ，１１）≧−１２％｛ただし、γ（ｍ，３）＞γ（ｍ，１１）｝  …（８）
【００２５】
〔２〕  次ランド長による記録パワーのレーザ光の照射終了タイミングの補正短いランドを形成する場合ほど、その次のピット形成時の熱が該ランドを経てその手前のピットに伝わって、該手前のピットの後端が記録進行方向に伸びる傾向があるので、より長いランドを形成する場合に比べて該手前のピットの後端部を形成するための記録パワーのレーザ光の照射終了タイミングを相対的に早める。図９は当ピット（現在形成しているピット）の長さｎＴを一定とした場合の、次ランド（次に形成しようとするランド）の長さｍＴによる照射終了タイミングの、基準タイミングからの補正量λ（ｎ，ｍ）｛補正量λ（ｎ，ｍ）は、基準のタイミングに対し遅らせる方向を＋、早める方向を−とする｝の変化を示したものである。補正量λ（ｎ，ｍ）は式（９）〜（１２）の条件を満たすように設定されている。なお、補正量の数値（％）は、１Ｔの長さに対する割合である。
・次ランド長が３Ｔの場合：０％≧λ（３，３）≧λ（４，３）≧……≧λ（１１，３）≧−１２％｛ただし、λ（３，３）＞λ（１１，３）｝  …（９）
・次ランド長が４Ｔの場合：λ（３，４）＝λ（４，４）＝……＝λ（１１，４）＝０％  …（１０）
・次ランド長が５〜１１Ｔの場合：６％≧λ（３，ｍ）≧λ（４，ｍ）≧……≧λ（１１，ｍ）≧０％｛ただし、λ（３，ｍ）＞λ（１１，ｍ）｝  …（１１）
・当ピット長ｎＴが同じ場合：−１２％≦λ（ｎ，３）≦λ（ｎ，４）＝０％≦λ（ｎ，５）≦λ（ｎ，６）≦……≦λ（ｎ，１１）≦６％｛ただし、λ（ｎ，３）＜λ（ｎ，１１）｝  …（１２）
【００２６】
〔３〕  直前のランド長による記録パワーのレーザ光の照射開始タイミングの補正および当ピット長による記録パワーのレーザ光の照射終了タイミングの補正前述した（ｎ−Ｋ）Ｔ＋α（ｎＴ）−β（ｎＴ）ストラテジーにより、記録パワーの持続時間を、形成するピット長ｎＴおよびその直前のランド長ｍＴに応じて、（ｎ−Ｋ）Ｔ＋α（ｎＴ）−β（ｍＴ）に制御する。なお、Ｋは定数、α（ｎＴ）はピット長ｎＴに応じた補正量｛該ピットの形成を終了させるための記録パワーの終了タイミングに付加する（記録パワーの終了を遅らせる）補正量｝で、少なくともα（３Ｔ）≧α（４Ｔ）≧α（５Ｔ）≧……≧α（８Ｔ）≧０％｛ただし、α（３Ｔ）＞α（８Ｔ）｝、β（ｍＴ）は直前のランド長ｍＴに応じた補正量｛次のピットの形成を開始させるための記録パワーの開始タイミングに付加する（記録パワーの開始を遅らせる）補正量｝で、少くともβ（３Ｔ）≧β（４Ｔ）≧β（５Ｔ）≧……≧β（８Ｔ）≧０％｛ただし、β（３Ｔ）＞β（８Ｔ）｝である。補正量の数値（％）は、１Ｔの長さに対する割合である。
【００２７】
図１の制御手段３８は、以上の〔１〕，〔２〕，〔３〕の制御を併せて行う。
すなわち、記録パワーのレーザ光の照射開始タイミングについては、図１０に示すように、当ランド長による補正量β（ｍＴ）と次ピット長による補正量γ（ｍ，ｎ）を足し合わせた分の補正を行う。また、記録パワーのレーザ光の照射終了タイミングについては図１１に示すように、当ピット長による補正量α（ｎＴ）と次ランド長による補正量λ（ｎ，ｍ）を足し合わせた分の補正を行う。具体的には、図１の記録ストラテジー記憶手段３４に、ディスク種類および記録速度倍率ごとに、当ランド長と次ピット長の組合せに応じた照射開始タイミングの補正量の加算値β（ｍＴ）＋γ（ｍ，ｎ）を該組合せごとのテーブルにして予め記憶し、当ピット長と次ランド長の組合わせに応じた補正量の加算値α（ｎＴ）＋λ（ｎ，ｍ）を該組合せごとのテーブルにして予め記憶する。
【００２８】
当ランド長と次ピット長の組合せに応じた照射開始タイミングの補正量β（ｍＴ），γ（ｍ，ｎ）の設定例を表１に示す。また、当ピット長と次ランド長の組合わせに応じた補正量α（ｎＴ），λ（ｎ，ｍ）の設定例を表２に示す。表１、表２の設定値はいずれもシアニン系高速記録対応（３２倍速以上対応）のＣＤ−Ｒディスクに１倍速記録を行う場合のもので、数値の単位は％（１Ｔの長さに対する割合を表す。）である。また、このとき基本ストラテジー（ｎ−Ｋ）ＴのＫ値は１とした。
【表１】
2004213848.tif 000003
【表２】
2004213848.tif 000004
【００２９】
制御手段３８は、入力される記録信号の当ランド長と次ピット長の組合せを検出し、記録ストラテジー記憶手段３４から該当する補正量β（ｍＴ）＋γ（ｍ，ｎ）を読み出して、該次ピットの形成を開始する記録パワーのレーザ光の照射開始タイミングを該補正量分補正する。また、同記録信号の当ピット長と次ランド長の組合せを検出し、記録ストラテジー記憶手段３４から該当する補正量α（ｎＴ）＋λ（ｎ，ｍ）を読み出して、該ピットの成形を終了する記録パワーのレーザ光の照射終了タイミングを該補正量分補正する。全補正量を加味した最終的な記録ストラテジーは（ｎ−Ｋ）Ｔ＋｛α（ｎＴ）＋λ（ｎ，ｍ）｝−｛β（ｍＴ）＋γ（ｍ，ｎ）｝である。
【００３０】
制御手段３８による補正動作の一例を図１２に示す。（ａ）は補正前の記録信号、（ｂ）は該記録信号にＫＴの補正をした信号、（ｃ）はさらにβ（ｍＴ）＋γ（ｍ，ｎ），α（ｎＴ）＋λ（ｎ，ｍ）の補正をした最終的なレーザ駆動信号である。
【００３１】
某ディスク製造メーカーの４０倍速対応ＣＤ−Ｒディスクについて、前記〔１〕ｉ）の式（１）〜（４）による記録ストラテジーを使用して１倍速記録を行った場合と、前記〔１〕ｉｉ）の式（５）〜（８）による記録ストラテジーを使用して１倍速記録を行った場合の再生信号のＣ１エラー特性、ピットジッタ特性、ランドジッタ特性を図１３，図１４，図１５にそれぞれ示す。これによれば、ピットジッタ特性は両者であまり変わらないが、Ｃ１エラー特性は式（５）〜（８）による記録ストラテジーを使用するとやや改善され、ランドジッタ特性は式（５）〜（８）による記録ストラテジーを使用すると大幅に（最大で７〜８ｎｓｅｃ位）改善されることがわかる。ディスク種類によっては、１倍速記録のみならず、２倍速記録についても、式（５）〜（８）による記録ストラテジーを使用した方が、式（１）〜（４）による記録ストラテジーを使用するよりも再生信号の記録信号品位が高められる場合がある。なお、図１３，図１４，図１５の横軸のβ（％）はＣＤ−ＷＯ規格で定められた記録パワーに関連するパラメータで、補正量β（ｍＴ）とは別のパラメータである。
【００３２】
なお、上記実施の形態ではこの発明をＣＤ−ＷＯ規格の光ディスク記録に適用した場合について示したが、この発明による効果が得られる限り、マーク長記録方式の他の規格の光ディスク（ＤＶＤ−Ｒ等）の記録にも適用することができる。
【図面の簡単な説明】
【図１】図５のシステムコントローラによる記録制御の制御ブロック図である。
【図２】記録用レーザ光の波形図である。
【図３】某ディスク製造メーカーの高速記録対応ＣＤ−Ｒディスクについて２４倍速記録した場合の再生ＥＦＭ信号波形を示す図である。
【図４】図３と同じＣＤ−Ｒディスクについて１倍速記録した場合の再生ＥＦＭ信号波形を示す図である。
【図５】この発明の光ディスク記録装置の実施の形態を示すブロック図である。
【図６】図１の制御ブロック構成による記録ストラテジー設定制御の一例を示すフローチャートである。
【図７】３２倍速以上の高速記録対応ディスクについて２倍速以上（または４倍速以上）で記録する場合、または、３２倍速以上の高速記録対応でないディスクについて記録する場合の、次ピット長による記録パワーのレーザ光の照射開始タイミング補正を説明する波形図である。
【図８】３２倍速以上の高速記録対応ディスクについて１倍速（または１倍速もしくは２倍速）で記録する場合の、次ピット長による記録パワーのレーザ光の照射開始タイミング補正を説明する波形図である。
【図９】次ランド長による記録パワーのレーザ光の照射終了タイミング補正を説明する波形図である。
【図１０】当ランド長と次ピット長の組合せによる記録パワーのレーザ光の照射開始タイミング補正を説明する波形図である。
【図１１】当ピット長と次ランド長の組合せによる記録パワーのレーザ光の照射終了タイミング補正を説明する波形図である。
【図１２】図１の制御手段３８による補正動作の一例を示す波形図である。
【図１３】某ディスク製造メーカーの４０倍速対応ＣＤ−Ｒディスクについて、式（１）〜（４）による記録ストラテジーを使用して１倍速記録を行った場合と、式（５）〜（８）による記録ストラテジーを使用して１倍速記録を行った場合のＣ１エラー特性図である。
【図１４】図１３と同じＣＤ−Ｒディスクについて、式（１）〜（４）による記録ストラテジーを使用して１倍速記録を行った場合と、式（５）〜（８）による記録ストラテジーを使用して１倍速記録を行った場合のピットジッタ特性図である。
【図１５】図１３と同じＣＤ−Ｒディスクについて、式（１）〜（４）による記録ストラテジーを使用して１倍速記録を行った場合と、式（５）〜（８）による記録ストラテジーを使用して１倍速記録を行った場合のランドジッタ特性図である。
【符号の説明】
１０…記録可能型光ディスク、１１…レーザ光、３４…記録ストラテジー記憶手段（記憶手段）、３８…制御手段。
【図１】
2004213848.tif 000005
【図２】
2004213848.tif 000006
【図３】
2004213848.tif 000007
【図４】
2004213848.tif 000008
【図５】
2004213848.tif 000009
【図６】
2004213848.tif 000010
【図７】
2004213848.tif 000011
【図８】
2004213848.tif 000012
【図９】
2004213848.tif 000013
【図１０】
2004213848.tif 000014
【図１１】
2004213848.tif 000015
【図１２】
2004213848.tif 000016
【図１３】
2004213848.tif 000017
【図１４】
2004213848.tif 000018
【図１５】
2004213848.tif 000019